(57)【要約】【課題】  データ容量を抑えつつ、交通信号制御に必要な情報を含めた走行軌跡情報を生成することができる情報生成装置等を提供することを目的とする。【解決手段】  車載装置１は、取得した位置情報がプローブ制御交差点ＩＳＸの近傍に含まれる場合にはこの位置情報を含むプローブデータを生成するとともに、この位置情報が上記近傍に含まれない場合にはこの位置情報に対応する走行リンクを特定して、その走行リンクを含めたプローブデータを生成する。ただし、当該走行リンクが、車両５の出発地点から最初に非生活道路リンク（非生活道路に係るリンク）に至るまでに当該車両５が走行する生活道路リンク（生活道路に係るリンク）に該当する場合には、当該走行リンクを含めずにプローブデータを生成する。【選択図】  図１
2013206098.tif 000002
【特許請求の範囲】
【請求項１】
移動体の走行軌跡に関する走行軌跡情報を生成する情報生成装置であって、
前記移動体の異なる時点での位置情報を取得する取得手段と、
前記位置情報が、下記の条件Ａを満たす所定の交差点の位置から所定の範囲内に含まれるか否かを判定する交差点近傍判定手段と、
前記交差点近傍判定手段が肯定的な判定を行った場合に、前記位置情報を含めて前記走行軌跡情報を生成するとともに、前記交差点近傍判定手段が否定的な判定を行った場合に、前記位置情報を含めずに前記走行軌跡情報を生成する生成手段と
を備える情報生成装置。
・  条件Ａ：前記走行軌跡情報に基づいて当該交差点に設置された信号灯器を制御する交通信号制御機が設置された交差点である。
【請求項２】
前記位置情報と、道路地図データに含まれる各リンクの位置座標とを比較して、前記移動体が走行していると推定されるリンクである走行リンクを特定する特定手段をさらに備え、
前記生成手段は、前記交差点近傍判定手段が否定的な判定を行った場合には、前記走行リンクを含めて前記走行軌跡情報を生成する、
請求項１に記載の情報生成装置。
【請求項３】
前記走行リンクが下記の条件Ｂを満たす所定の生活道路リンクに該当するか否かを判定する生活道路リンク判定手段をさらに備え、
前記生成手段は、前記生活道路リンク判定手段が肯定的な判定を行った場合には、前記走行リンクを含めずに前記走行軌跡情報を生成する、
請求項２に記載の情報生成装置。
・  条件Ｂ：生活道路に係るリンクである生活道路リンクであって、移動体の出発地点から最初に生活道路リンク以外のリンクに至るまでに前記移動体が走行する生活道路リンクである。
【請求項４】
前記生活道路リンク判定手段は、さらに前記走行リンクが下記の条件Ｃを満たす所定の生活道路リンクに該当するか否かを判定し、
前記生成手段は、前記生活道路リンク判定手段により前記走行リンクが前記条件Ｂ及び前記条件Ｃの双方を満たす所定の生活道路リンクに該当すると判定された場合には、前記走行リンクを含めて前記走行軌跡情報を生成する、
請求項３に記載の情報生成装置。
・  条件Ｃ：生活道路に係るリンクである生活道路リンクであって、移動体の出発地点から最初に生活道路リンク以外のリンクに至るまでに前記移動体が走行する生活道路リンクのうち、当該生活道路リンク以外のリンクの所定数手前までの生活道路リンクである。
【請求項５】
前記位置情報と、道路地図データに含まれる各リンクの位置座標とを比較して、前記移動体が走行していると推定されるリンクである走行リンクを特定する特定手段をさらに備え、
前記走行リンクが前記所定の交差点に流入する道路に係るリンクである流入リンクに該当するか否かを判定する流入リンク判定手段をさらに備え、
前記生成手段は、前記交差点近傍判定手段が肯定的な判定を行った場合であっても、前記流入リンク判定手段が否定的な判定を行った場合には、前記位置情報を含めずに前記走行軌跡情報を生成する、
請求項１乃至４のいずれか１項に記載の情報生成装置。
【請求項６】
移動体の走行軌跡に関する走行軌跡情報を生成する情報生成装置であって、
前記移動体の異なる時点での位置情報を取得する取得手段と、
前記位置情報と、道路地図データに含まれる各リンクの位置座標とを比較して、前記移動体が走行していると推定されるリンクである走行リンクを特定する特定手段と、
前記特定手段が特定した走行リンクの有無を判定する走行リンク有無判定手段と、
前記走行リンク有無判定手段が有と判定した場合に、前記位置情報と前記走行リンクの少なくとも一方を含めて前記走行軌跡情報を生成するとともに、前記走行リンク有無判定手段が無と判定した場合に、前記位置情報を含めずに前記走行軌跡情報を生成する生成手段と
を備える情報生成装置。
【請求項７】
前記走行リンクが下記の条件Ｂを満たす所定の生活道路リンクに該当するか否かを判定する生活道路リンク判定手段をさらに備え、
前記生成手段は、前記走行リンク有無判定手段が有と判定した場合であっても、前記生活道路リンク判定手段が肯定的な判定を行った場合には、前記位置情報及び前記走行リンクを含めずに前記走行軌跡情報を生成する、
請求項６に記載の情報生成装置。
・  条件Ｂ：生活道路に係るリンクである生活道路リンクであって、移動体の出発地点から最初に生活道路リンク以外のリンクに至るまでに前記移動体が走行する生活道路リンクである。
【請求項８】
前記生活道路リンク判定手段は、さらに前記走行リンクが下記の条件Ｃを満たす所定の生活道路リンクに該当するか否かを判定し、
前記生成手段は、前記生活道路リンク判定手段により前記走行リンクが前記条件Ｂ及び前記条件Ｃの双方を満たす所定の生活道路リンクに該当すると判定された場合には、前記位置情報又は前記走行リンクを含めて前記走行軌跡情報を生成する、
請求項７に記載の情報生成装置。
・  条件Ｃ：生活道路に係るリンクである生活道路リンクであって、移動体の出発地点から最初に生活道路リンク以外のリンクに至るまでに前記移動体が走行する生活道路リンクのうち、当該生活道路リンク以外のリンクの所定数手前までの生活道路リンクである。
【請求項９】
移動体の走行軌跡に関する走行軌跡情報を生成する情報生成装置であって、
前記移動体の異なる時点での位置情報を取得する取得手段と、
前記位置情報と、道路地図データに含まれる各リンクの位置座標とを比較して、前記移動体が走行していると推定されるリンクである走行リンクを特定する特定手段と、
前記走行リンクが下記の条件Ｂを満たす所定の生活道路リンクに該当するか否かを判定する生活道路リンク判定手段と、
前記生活道路リンク判定手段が肯定的な判定を行った場合に、前記位置情報及び前記走行リンクを含めずに前記走行軌跡情報を生成するとともに、前記生活道路リンク判定手段が否定的な判定を行った場合に、前記位置情報と前記走行リンクの少なくとも一方を含めて前記走行軌跡情報を生成する生成手段と
を備える情報生成装置。
・  条件Ｂ：生活道路に係るリンクである生活道路リンクであって、移動体の出発地点から最初に生活道路リンク以外のリンクに至るまでに前記移動体が走行する生活道路リンクである。
【請求項１０】
コンピュータに、移動体の走行軌跡に関する走行軌跡情報を生成する処理を実行させるためのコンピュータプログラムであって、
コンピュータに、
前記移動体の異なる時点での位置情報を取得するステップと、
前記位置情報が、下記の条件Ａを満たす所定の交差点の位置から所定の範囲内に含まれるか否かを判定する交差点近傍判定ステップと、
前記交差点近傍判定ステップにおいて肯定的な判定を行った場合に、前記位置情報を含めて前記走行軌跡情報を生成するとともに、前記交差点近傍判定ステップにおいて否定的な判定を行った場合に、前記位置情報を含めずに前記走行軌跡情報を生成するステップと
を実行させるコンピュータプログラム。
・  条件Ａ：前記走行軌跡情報に基づいて当該交差点に設置された信号灯器を制御する交通信号制御機が設置された交差点である。
【請求項１１】
コンピュータに、移動体の走行軌跡に関する走行軌跡情報を生成する処理を実行させるためのコンピュータプログラムであって、
コンピュータに、
前記移動体の異なる時点での位置情報を取得するステップと、
前記位置情報と、道路地図データに含まれる各リンクの位置座標とを比較して、前記移動体が走行していると推定されるリンクである走行リンクを特定するステップと、
前記特定した走行リンクの有無を判定する走行リンク有無判定ステップと、
前記走行リンク有無判定ステップにおいて有と判定した場合に、前記位置情報と前記走行リンクの少なくとも一方を含めて前記走行軌跡情報を生成するとともに、前記走行リンク有無判定ステップにおいて無と判定した場合に、前記位置情報を含めずに前記走行軌跡情報を生成するステップと
を実行させるコンピュータプログラム。
【請求項１２】
コンピュータに、移動体の走行軌跡に関する走行軌跡情報を生成する処理を実行させるためのコンピュータプログラムであって、
コンピュータに、
前記移動体の異なる時点での位置情報を取得するステップと、
前記位置情報と、道路地図データに含まれる各リンクの位置座標とを比較して、前記移動体が走行していると推定されるリンクである走行リンクを特定するステップと、
前記走行リンクが下記の条件Ｂを満たす所定の生活道路リンクに該当するか否かを判定する生活道路リンク判定ステップと、
前記生活道路リンク判定ステップにおいて肯定的な判定を行った場合に、前記位置情報及び前記走行リンクを含めずに前記走行軌跡情報を生成するとともに、前記生活道路リンク判定ステップにおいて否定的な判定を行った場合に、前記位置情報と前記走行リンクの少なくとも一方を含めて前記走行軌跡情報を生成するステップと
を実行させるコンピュータプログラム。
・  条件Ｂ：生活道路に係るリンクである生活道路リンクであって、移動体の出発地点から最初に生活道路リンク以外のリンクに至るまでに前記移動体が走行する生活道路リンクである。
【発明の詳細な説明】
【技術分野】
【０００１】
本発明は、交通信号制御の入力情報となる交通指標を算出するのに利用可能な走行軌跡情報を生成して、外部に送信する情報生成装置と、その情報生成処理をコンピュータに実行させるためのコンピュータプログラムに関する。
【背景技術】
【０００２】
車両の待ち行列台数と飽和交通流率とに基づいて負荷率を算出し、この負荷率に基づいて交差点に設置された信号灯器の制御を行うＭＯＤＥＲＡＴＯ（Management by Origin-DEstination Related Adaptation for Traffic Optimization）制御が知られている（例えば、非特許文献１）。
【０００３】
このＭＯＤＥＲＡＴＯ制御では、車両の待ち行列台数の精度が高くなればなるほど、最適な制御が可能となる。
そこで、道路を走行する車両から、その車両の時系列の位置情報等を含む走行軌跡情報（プローブデータ）を、例えば光ビーコンを通じて取得し、この走行軌跡情報に含まれる車両の位置や時刻等の情報を利用して車両の待ち行列台数を精度良く推定することが検討されている。
【先行技術文献】
【特許文献】
【０００４】
【非特許文献１】「改訂  交通信号の手引き」  編集・発行  社団法人  交通工学研究会（１６〜１８頁、８３〜８７頁）
【発明の概要】
【発明が解決しようとする課題】
【０００５】
しかし、光ビーコンに送信可能なデータ容量には制限がある（例えば、５８バイト）ので、過去の光ビーコンの通過時点以降の時系列の位置情報の全てを、走行軌跡情報に含めることができない場合がある。
【０００６】
一方で、走行軌跡情報に基づいて車両の待ち行列台数を精度良く推定するためには、例えば、交差点の上流５００ｍまでの時系列の位置情報など、交差点近傍のある程度の時系列の位置情報が必要となる。
【０００７】
本発明は、斯かる事情に鑑みてなされたものであり、データ容量を抑えつつ、交通信号制御に必要な情報を含めた走行軌跡情報を生成することができる情報生成装置等を提供することを目的とする。
【課題を解決するための手段】
【０００８】
第１発明に係る情報生成装置は、移動体の走行軌跡に関する走行軌跡情報を生成する情報生成装置であって、前記移動体の異なる時点での位置情報を取得する取得手段と、前記位置情報が、下記の条件Ａを満たす所定の交差点の位置から所定の範囲内に含まれるか否かを判定する交差点近傍判定手段と、前記交差点近傍判定手段が肯定的な判定を行った場合に、前記位置情報を含めて前記走行軌跡情報を生成するとともに、前記交差点近傍判定手段が否定的な判定を行った場合に、前記位置情報を含めずに前記走行軌跡情報を生成する生成手段とを備える情報生成装置である（請求項１）。
・  条件Ａ：前記走行軌跡情報に基づいて当該交差点に設置された信号灯器を制御する交通信号制御機が設置された交差点である。
【０００９】
第１発明によれば、位置情報が所定の交差点の近傍に含まれる場合にはこれを含む走行軌跡情報を生成するとともに、位置情報が上記近傍に含まれない場合にはこれを含まない走行軌跡情報を生成するので、データ容量を抑えつつ、交通信号制御に必要な情報を含めた走行軌跡情報を生成することができる。
【００１０】
また、第１発明に係る情報生成装置は、前記位置情報と、道路地図データに含まれる各リンクの位置座標とを比較して、前記移動体が走行していると推定されるリンクである走行リンクを特定する特定手段をさらに備え、前記生成手段は、前記交差点近傍判定手段が否定的な判定を行った場合には、前記走行リンクを含めて前記走行軌跡情報を生成することが好ましい（請求項２）。
【００１１】
例えば、渋滞がよく発生する渋滞区間の代替路となる迂回路を把握するためには、当該渋滞区間の周辺における移動体の走行経路の情報が必要となる。
そこで、位置情報が所定の交差点の近傍に含まれない場合には、その位置情報に対応する走行リンクを特定して、その走行リンクを含めて走行軌跡情報を生成すれば、移動体の走行経路を推定する元となる情報を、データ容量を抑えつつ、走行軌跡情報に含めることができる。
【００１２】
また、第１発明に係る情報生成装置は、前記走行リンクが下記の条件Ｂを満たす所定の生活道路リンクに該当するか否かを判定する生活道路リンク判定手段をさらに備え、前記生成手段は、前記生活道路リンク判定手段が肯定的な判定を行った場合には、前記走行リンクを含めずに前記走行軌跡情報を生成することが好ましい（請求項３）。
・  条件Ｂ：生活道路に係るリンクである生活道路リンクであって、移動体の出発地点から最初に生活道路リンク以外のリンクに至るまでに前記移動体が走行する生活道路リンクである。
【００１３】
ここで、生活道路とは、その地域に生活する人が住宅などから国道や都道府県道、市町村道などの主要な道路に出るまでに利用する道のことをいう。
走行リンクが、移動体の出発地点から最初に生活道路リンク以外のリンク（例えば、国道、都道府県道、市町村道のリンク）に至るまでに当該移動体が走行する生活道路リンクに該当する場合には、走行リンクを含めずに走行軌跡情報を生成することにより、移動体の搭乗者のプライバシーを保護することができる。
【００１４】
また、前記生活道路リンク判定手段は、さらに前記走行リンクが下記の条件Ｃを満たす所定の生活道路リンクに該当するか否かを判定し、前記生成手段は、前記生活道路リンク判定手段により前記走行リンクが前記条件Ｂ及び前記条件Ｃの双方を満たす所定の生活道路リンクに該当すると判定された場合には、前記走行リンクを含めて前記走行軌跡情報を生成することが好ましい（請求項４）。
・  条件Ｃ：生活道路に係るリンクである生活道路リンクであって、移動体の出発地点から最初に生活道路リンク以外のリンクに至るまでに前記移動体が走行する生活道路リンクのうち、当該生活道路リンク以外のリンクの所定数手前までの生活道路リンクである。
【００１５】
走行リンクが、移動体の出発地点から最初に生活道路リンク以外のリンクに至るまでに当該移動体が走行する生活道路リンクに該当する場合であっても、上記生活道路リンク以外のリンクに至る所定の本数手前まで（例えば、１本手前まで）の生活道路リンクに該当する場合は、当該生活道路リンクを含めて走行軌跡情報を生成することにより、生活道路から国道などの生活道路以外の道路に流入する交通の把握に役立てることができる。
【００１６】
また、第１発明に係る情報生成装置は、前記位置情報と、道路地図データに含まれる各リンクの位置座標とを比較して、前記移動体が走行していると推定されるリンクである走行リンクを特定する特定手段をさらに備え、前記走行リンクが前記所定の交差点に流入する道路に係るリンクである流入リンクに該当するか否かを判定する流入リンク判定手段をさらに備え、前記生成手段は、前記交差点近傍判定手段が肯定的な判定を行った場合であっても、前記流入リンク判定手段が否定的な判定を行った場合には、前記位置情報を含めずに前記走行軌跡情報を生成することが好ましい（請求項５）。
【００１７】
交通信号制御に特に必要となるのは、移動体が交差点に流入する道路を走行しているときの位置情報であるから、位置情報が流入リンクに対応しない場合には、この位置情報を含めずに走行軌跡情報を生成すれば、交通信号制御に必要となる位置情報を走行軌跡情報に確保しつつ、走行軌跡情報のデータ容量を抑えることができる。
【００１８】
第２発明に係る情報生成装置は、移動体の走行軌跡に関する走行軌跡情報を生成する情報生成装置であって、前記移動体の異なる時点での位置情報を取得する取得手段と、前記位置情報と、道路地図データに含まれる各リンクの位置座標とを比較して、前記移動体が走行していると推定されるリンクである走行リンクを特定する特定手段と、前記特定手段が特定した走行リンクの有無を判定する走行リンク有無判定手段と、前記走行リンク有無判定手段が有と判定した場合に、前記位置情報と前記走行リンクの少なくとも一方を含めて前記走行軌跡情報を生成するとともに、前記走行リンク有無判定手段が無と判定した場合に、前記位置情報を含めずに前記走行軌跡情報を生成する生成手段とを備える情報生成装置である（請求項６）。
【００１９】
位置情報をもとに走行リンクを特定できない場合には、移動体は道路地図データに登録されていないような生活道路を走行していると推定することができる。
第２発明によれば、位置情報から走行リンクを特定できない場合には、この位置情報を含めずに走行軌跡情報を生成するので、移動体の搭乗者のプライバシーを保護することができる。
【００２０】
また、第２発明に係る情報生成装置は、前記走行リンクが下記の条件Ｂを満たす所定の生活道路リンクに該当するか否かを判定する生活道路リンク判定手段をさらに備え、前記生成手段は、前記走行リンク有無判定手段が有と判定した場合であっても、前記生活道路リンク判定手段が肯定的な判定を行った場合には、前記位置情報（前記走行リンクを特定することとなった位置情報）及び前記走行リンクを含めずに前記走行軌跡情報を生成することが好ましい（請求項７）。
・  条件Ｂ：生活道路に係るリンクである生活道路リンクであって、移動体の出発地点から最初に生活道路リンク以外のリンクに至るまでに前記移動体が走行する生活道路リンクである。
【００２１】
位置情報から走行リンクを特定できる場合であっても、その走行リンクが、移動体の出発地点から最初に生活道路リンク以外のリンク（例えば、国道、都道府県道、市町村道のリンク）に至るまでに当該移動体が走行する生活道路リンクに該当する場合には、この位置情報を含めずに走行軌跡情報を生成することにより、移動体の搭乗者のプライバシーを保護することができる。
【００２２】
また、前記生活道路リンク判定手段は、さらに前記走行リンクが下記の条件Ｃを満たす所定の生活道路リンクに該当するか否かを判定し、前記生成手段は、前記生活道路リンク判定手段により前記走行リンクが前記条件Ｂ及び前記条件Ｃの双方を満たす所定の生活道路リンクに該当すると判定された場合には、前記位置情報又は前記走行リンクを含めて前記走行軌跡情報を生成することが好ましい（請求項８）。
・  条件Ｃ：生活道路に係るリンクである生活道路リンクであって、移動体の出発地点から最初に生活道路リンク以外のリンクに至るまでに前記移動体が走行する生活道路リンクのうち、当該生活道路リンク以外のリンクの所定数手前までの生活道路リンクである。
【００２３】
位置情報から特定した走行リンクが、移動体の出発地点から最初に生活道路リンク以外のリンクに至るまでに当該移動体が走行する生活道路リンクに該当する場合であっても、上記生活道路リンク以外のリンクに至る所定の本数手前まで（例えば、１本手前まで）の生活道路リンクに該当する場合は、上記位置情報又は当該生活道路リンクを含めて走行軌跡情報を生成することにより、生活道路から国道などの生活道路以外の道路に流入する交通の把握に役立てることができる。
【００２４】
第３発明に係る情報生成装置は、移動体の走行軌跡に関する走行軌跡情報を生成する情報生成装置であって、前記移動体の異なる時点での位置情報を取得する取得手段と、前記位置情報と、道路地図データに含まれる各リンクの位置座標とを比較して、前記移動体が走行していると推定されるリンクである走行リンクを特定する特定手段と、前記走行リンクが下記の条件Ｂを満たす所定の生活道路リンクに該当するか否かを判定する生活道路リンク判定手段と、前記生活道路リンク判定手段が肯定的な判定を行った場合に、前記位置情報及び前記走行リンクを含めずに前記走行軌跡情報を生成するとともに、前記生活道路リンク判定手段が否定的な判定を行った場合に、前記位置情報と前記走行リンクの少なくとも一方を含めて前記走行軌跡情報を生成する生成手段とを備える情報生成装置である（請求項９）。
・  条件Ｂ：生活道路に係るリンクである生活道路リンクであって、移動体の出発地点から最初に生活道路リンク以外のリンクに至るまでに前記移動体が走行する生活道路リンクである。
【００２５】
第３発明によれば、位置情報から走行リンクを特定した場合に、その走行リンクが、移動体の出発地点から最初に生活道路リンク以外のリンク（例えば、国道、都道府県道、市町村道のリンク）に至るまでに当該移動体が走行する生活道路リンクに該当する場合には、この位置情報を含めずに走行軌跡情報を生成するので、移動体の搭乗者のプライバシーを保護することができる。
【００２６】
第４発明に係るコンピュータプログラムは、コンピュータに、移動体の走行軌跡に関する走行軌跡情報を生成する処理を実行させるためのコンピュータプログラムであって、コンピュータに、前記移動体の異なる時点での位置情報を取得するステップと、前記位置情報が、下記の条件Ａを満たす所定の交差点の位置から所定の範囲内に含まれるか否かを判定する交差点近傍判定ステップと、前記交差点近傍判定ステップにおいて肯定的な判定を行った場合に、前記位置情報を含めて前記走行軌跡情報を生成するとともに、前記交差点近傍判定ステップにおいて否定的な判定を行った場合に、前記位置情報を含めずに前記走行軌跡情報を生成するステップとを実行させるコンピュータプログラムである（請求項１０）。
・  条件Ａ：前記走行軌跡情報に基づいて当該交差点に設置された信号灯器を制御する交通信号制御機が設置された交差点である。
第４発明に係るコンピュータプログラムは、第１発明と同一の発明に係るコンピュータプログラムである。
【００２７】
第５発明に係るコンピュータプログラムは、コンピュータに、移動体の走行軌跡に関する走行軌跡情報を生成する処理を実行させるためのコンピュータプログラムであって、コンピュータに、前記移動体の異なる時点での位置情報を取得するステップと、前記位置情報と、道路地図データに含まれる各リンクの位置座標とを比較して、前記移動体が走行していると推定されるリンクである走行リンクを特定するステップと、前記特定した走行リンクの有無を判定する走行リンク有無判定ステップと、前記走行リンク有無判定ステップにおいて有と判定した場合に、前記位置情報と前記走行リンクの少なくとも一方を含めて前記走行軌跡情報を生成するとともに、前記走行リンク有無判定ステップにおいて無と判定した場合に、前記位置情報を含めずに前記走行軌跡情報を生成するステップとを実行させるコンピュータプログラムである（請求項１１）。
第５発明に係るコンピュータプログラムは、第２発明と同一の発明に係るコンピュータプログラムである。
【００２８】
第６発明に係るコンピュータプログラムは、コンピュータに、移動体の走行軌跡に関する走行軌跡情報を生成する処理を実行させるためのコンピュータプログラムであって、コンピュータに、前記移動体の異なる時点での位置情報を取得するステップと、前記位置情報と、道路地図データに含まれる各リンクの位置座標とを比較して、前記移動体が走行していると推定されるリンクである走行リンクを特定するステップと、前記走行リンクが下記の条件Ｂを満たす所定の生活道路リンクに該当するか否かを判定する生活道路リンク判定ステップと、前記生活道路リンク判定ステップにおいて肯定的な判定を行った場合に、前記位置情報及び前記走行リンクを含めずに前記走行軌跡情報を生成するとともに、前記生活道路リンク判定ステップにおいて否定的な判定を行った場合に、前記位置情報と前記走行リンクの少なくとも一方を含めて前記走行軌跡情報を生成するステップとを実行させるコンピュータプログラムである（請求項１２）。
・  条件Ｂ：生活道路に係るリンクである生活道路リンクであって、移動体の出発地点から最初に生活道路リンク以外のリンクに至るまでに前記移動体が走行する生活道路リンクである。
第６発明に係るコンピュータプログラムは、第３発明と同一の発明に係るコンピュータプログラムである。
【発明の効果】
【００２９】
本発明によれば、データ容量を抑えつつ、交通信号制御に必要な情報を含めた走行軌跡情報を生成することができる。
【図面の簡単な説明】
【００３０】
【図１】実施形態１に係る情報生成装置（車載装置）を含む交通信号制御システムの道路平面図である。
【図２】車載装置の構成を示すブロック図である。
【図３】実施形態１に係るプローブデータ生成処理の手順を示すフローチャートである。
【図４】実施形態１に係る車載装置が生成するプローブデータの具体例を説明するための図である。
【図５】実施形態２に係るプローブデータ生成処理の手順を示すフローチャートである。
【図６】実施形態２に係るプローブデータ生成処理の手順を示すフローチャートである。
【図７】実施形態２に係る車載装置が生成するプローブデータの具体例を説明するための図である。
【発明を実施するための形態】
【００３１】
実施形態１：
以下、本発明の実施形態を、添付図面を参照しながら詳細に説明する。
〔システムの全体構成〕
図１は、実施形態１に係る情報生成装置を含む交通信号制御システムを示す道路平面図である。図１に示すように、本実施形態の交通信号制御システムは、本発明の情報生成装置の適用対象である車載装置１、路上通信装置２、交通信号機３及び中央装置４などを含んでいる。
中央装置４は、交通管制センター内に設置されており、複数の交差点ＩＳのそれぞれに設置された交通信号機３、複数の道路のそれぞれに設置された路上通信装置２等と電話回線等の通信回線を介して接続されている。
車両５に搭載された車載装置（情報生成装置）１は、路上通信装置２の通信領域を通過する際に、時系列の位置情報等を含むプローブデータ（走行軌跡情報）を当該路上通信装置２に送信するとともに、周辺の道路それぞれの渋滞情報等を含む交通情報を当該路上通信装置２から受信する。
交通信号機３には、プローブデータに基づく交通信号制御を実行するプローブ制御交通信号機３Ｘと、プローブデータに基づく交通信号制御を実行しない非プローブ制御交通信号機３Ｙとがある。ここで、プローブ制御交通信号機３Ｘがプローブデータに基づく交通信号制御を実行するとは、プローブ制御交通信号機３Ｘが直接的にプローブデータに基づいて交通信号制御を行う（例えば、プローブデータに基づいて歩行者青時間を調整する）場合だけでなく、プローブ制御交通信号機３Ｘが間接的にプローブデータに基づいて交通信号制御を行う、すなわち、中央装置４等の外部装置がプローブデータに基づいて信号制御パラメータ等を決定し、この信号制御パラメータ等に基づいてプローブ制御交通信号機３Ｘが交通信号制御を行う場合も含む。
また、交差点ＩＳには、プローブ制御交通信号機３Ｘが設置された交差点であるプローブ制御交差点ＩＳＸと、非プローブ制御交通信号機３Ｙが設置された交差点又は交通信号機３が設置されていない交差点である非プローブ制御交差点ＩＳＹとがある。
路上通信装置２は、車載装置１から受信したプローブデータを中央装置４に送信するとともに、プローブ制御交通信号機３Ｘに送信する。
なお、中央装置４は、交通管制センター内に設置されず、道路上に設置されていても良い。
また、プローブ制御交差点ＩＳＸの流出リンクＬ５、Ｌ６、Ｌ７、Ｌ８のそれぞれに路上通信装置２は設置されているが、図１ではこれらのうち流出リンクＬ７に設置された路上通信装置２のみを図示しており、それ以外の流出リンクに設置された路上通信装置２の図示を省略している。ここで、リンクとは、上り方向と下り方向で区別した交差点間の道路のことをいう。
【００３２】
〔中央装置〕
中央装置４は、所定時間毎（例えば、５分毎）に、不図示の車両感知器から取得した車両感知情報、路上通信装置２から取得したプローブデータ等に基づいて、複数の交通信号機３それぞれが交通信号制御を実行する際に用いる信号制御パラメータ等を含む信号制御指令を生成するとともに、複数の道路それぞれの渋滞情報等を含む交通情報を生成する。そして、中央装置４は、これらの信号制御指令を対応する交通信号機３（３Ｘ、３Ｙ）に送信するとともに、交通情報を複数の路上通信装置２に送信する。
【００３３】
中央装置４は、例えば、プローブデータに基づいて、次のような信号制御パラメータの算出を行う。
・  サブエリア構成の決定
プローブデータに含まれる位置情報や走行リンクに基づいて複数の移動体の走行経路を特定し、連続して通過する割合の大きい交差点ができるだけ同一のサブエリアとなるように、サブエリア構成を決定する（詳細は特開2010-79327参照）。
・  渋滞区間への流入制御
プローブデータに含まれる位置情報や走行リンクに基づいて複数の移動体の走行経路を特定し、渋滞区間とこの渋滞区間の代替路となる迂回路を特定する。そして、渋滞区間において渋滞が発生した場合に、渋滞区間に流入する交通量が少なくなるとともに、迂回路に流入する交通量が多くなるように、スプリット、サイクル長等を決定する（詳細は特開2008-305299参照）。
【００３４】
また、中央装置４は、例えば、プローブ制御交差点ＩＳＸ近傍のプローブデータに基づいて、次のようなプローブ制御交通信号機３Ｘ向けの信号制御パラメータの算出を行う。
・  待ち行列台数の算出
プローブデータに基づいて移動体の停止位置を算出し、その停止位置までの移動体の台数を算出するとともに、そのプローブデータに係る移動体が車両感知器を通過した時点から飽和流が継続していると見なせる間隔で当該車両感知器を通過した移動体の台数を算出し、これらを加算した台数を待ち行列台数とする（詳細は特開2012-038021参照）。
・  渋滞判定に基づくスプリットの調整
車両感知器が設置されていない流入路の渋滞の有無を、プローブデータに含まれる位置情報に基づいて算出した移動体の速度から判定し、渋滞有りと判定した場合には、各流入路のスプリットを変更する。
【００３５】
〔交通信号機〕
交通信号機３（３Ｘ、３Ｙ）は、交通信号制御機３ａと複数の信号灯器３ｂなどを含んでいる。
プローブ制御交通信号機３Ｘの交通信号制御機３ａｘは、中央装置４から信号制御指令を受信するとともに、路上通信装置２からプローブデータを受信し、これらの信号制御指令及びプローブデータに基づいて各信号灯器３ｂの青、黄、赤、右折矢等の各信号灯の点灯、消灯及び点滅を制御する。
非プローブ制御交通信号機３Ｙの交通信号制御機３ａｙは、中央装置４から信号制御指令を受信し、当該信号制御指令に基づいて各信号灯器３ｂの青、黄、赤、右折矢等の各信号灯の点灯、消灯及び点滅を制御する。
【００３６】
プローブ制御交通信号機３Ｘは、例えば、プローブデータに基づいて次のような交通信号制御を実行する。
・  歩行者青時間の調整
ある流入路について渋滞が発生している場合に、プローブデータに含まれる複数の移動体の位置情報に基づいて、当該流入路における歩行者青のときの速度と歩行者赤のときの速度を算出し、両者の速度の差が所定の閾値よりも大きい場合には、当該流入路では歩行者と左折車両の交錯により渋滞が発生していると判定し、歩行者青時間を例えば最小保証時間に短縮する（詳細は特開2011-197751参照）。
【００３７】
〔路上通信装置〕
路上通信装置２は、光ビーコンなどの狭域通信装置であり、車両５に搭載された車載装置１との間で各種情報を無線通信する。
路上通信装置２は、車載装置１と各種情報の通信を行う通信部２ｂと、通信部２ｂを制御する通信制御装置２ａとを含んでいる。
路上通信装置２は、中央装置４から交通情報を受信して、車載装置１に送信するとともに、車載装置１からプローブデータを受信して、中央装置４及びプローブ制御交通信号機３Ｘに送信する。
【００３８】
〔車載装置〕
車載装置１は路上通信装置２との間で各種情報を無線通信する。車載装置１は、プローブデータを路上通信装置２に送信するとともに、当該路上通信装置２から交通情報を受信する。
図２は車載装置１の構成を示すブロック図である。
ＧＰＳ処理部１０２は、ＧＰＳ衛星からのＧＰＳ信号を受信し、ＧＰＳ信号に含まれる時刻情報、ＧＰＳ衛星の軌道、測位補正情報に基づいて、車載装置１（車両５）の位置（緯度、経度及び高度）を検出する。
【００３９】
記憶部１０３は、道路地図データ、プローブ制御交差点テーブル等を記憶している。
道路地図データには、それぞれの交差点ＩＳについての交差点ＩＤと位置座標（経度、緯度）とを対応付けた交差点データ、それぞれのリンクについてのリンクＩＤと、リンクの始点・終点・補間点（道路が折れ曲がる地点に対応）それぞれの位置座標と、リンクコストと、リンクの始点に接続するリンクのリンクＩＤと、リンクの終点に接続するリンクのリンクＩＤと、リンクの道路種別とを対応付けたリンクデータなどの情報が登録されている。
【００４０】
リンクコストは、例えば、リンクと次に接続するリンクの組合せの数だけ設定されており、リンクの始点に進入してから当該リンクの終点を退出し、次に接続するリンクの始点に進入するまでに要する時間が設定されている。この場合、リンクコストには、リンクの始点から終点までを走行するのに要するコストと、リンクの終点から次のリンクの始点までを走行するのに要するコスト、すなわち、交差点を通過するのに要するコストが含まれている。
リンクの道路種別には、例えば、高速自動車国道、一般国道、都道府県道、市町村道、生活道路などが含まれている。ここで、生活道路とは、その地域に生活する人が住宅などから国道や都道府県道、市町村道などの主要な道路に出るまでに利用する道のことをいう。以下、高速自動車国道、一般国道、都道府県道、市町村道などの生活道路以外の道路を、非生活道路と定義する。
【００４１】
また、プローブ制御交差点テーブルには、各プローブ制御交差点ＩＳＸについて、交差点ＩＤ、位置座標（経度、緯度）、流入するリンクのリンクＩＤなどの情報が登録されている。
【００４２】
また、記憶部１０３は、制御部１０１が後述するプローブデータ生成処理を実行することにより生成したプローブデータを記録する。
また、記憶部１０３は、路上通信装置２から受信した交通情報を記録する。
【００４３】
通信部１０４は、路上通信装置２から交通情報を受信するとともに、路上通信装置２にプローブデータを送信する。
表示部１０５は、制御部１０１が探索した目的地までの誘導経路等を表示する。
音声出力部１０６は、制御部１０１が探索した上記誘導経路に沿って各種の案内を音声で車両５の搭乗者に報知する。
【００４４】
制御部１０１は、１又は複数のマイクロコンピュータにより構成されており、ＣＤ−ＲＯＭやハードディスク、メモリなどの所定の記録媒体に記録されたコンピュータプログラムを実行することにより、ＧＰＳ処理部１０２、記憶部１０３、通信部１０４、表示部１０５、音声出力部１０６の制御を行う。
また、制御部１０１は、上記のコンピュータプログラムを実行することにより、ＧＰＳ処理部１０２が検出した位置情報等に基づいて後述するプローブデータ生成処理を実行することにより、プローブデータを生成する。
また、制御部１０１は、目的地までの誘導経路を探索する等、各種の演算を実行する。
【００４５】
以下、車載装置１の制御部１０１が実行するプローブデータ生成処理について詳細を説明する。
図３は、プローブデータ生成処理の手順を示すフローチャートである。
まず、ステップＳ０１において、制御部１０１は、所定のサンプリング周期（例えば、１秒）が経過すると、ＧＰＳ処理部１０２によって検出された車載装置１の位置情報を取得する。
【００４６】
ステップＳ０２では、制御部１０１は、取得した位置情報と、プローブ制御交差点テーブルに登録されている各プローブ制御交差点ＩＳＸの位置座標とを比較し、最も距離が近いプローブ制御交差点ＩＳＸを抽出する。
【００４７】
ステップＳ０３では、制御部１０１は、取得した位置情報と抽出したプローブ制御交差点ＩＳＸの位置座標との距離が所定の距離閾値（例えば、５００ｍ）未満であるか否かを判定する。
制御部１０１は、所定の距離閾値未満であると判定した場合には（ステップＳ０３においてＹＥＳ）、ステップＳ０４以降の処理を実行し、それ以外の場合には（ステップＳ０３においてＮＯ）、ステップＳ０５以降の処理を実行する。
【００４８】
ステップＳ０４では、制御部１０１は、取得した位置情報を検出時刻とともにプローブデータに追加登録する。
ステップＳ０５では、制御部１０１は、取得した位置情報と、道路地図データに含まれる各リンクの位置座標とを比較して、移動体が走行していると推定されるリンクである走行リンクを特定する（取得した位置情報に対して、道路地図データを用いたいわゆるリンクマッチング処理を実行し、走行リンクを特定する）。
【００４９】
ステップＳ０６では、制御部１０１は、リンクマッチング処理により走行リンクが特定できた場合、すなわち、走行リンクのリンクＩＤがある場合には（ステップＳ０６においてＹＥＳ）、ステップＳ０７以降の処理を実行し、それ以外の場合には（ステップＳ０６においてＮＯ）、ステップＳ１１以降の処理を実行する。
【００５０】
ステップＳ０７では、制御部１０１は、ステップＳ０６の走行リンクのリンクＩＤが新規のリンクＩＤであるか否かを判定する。すなわち、制御部１０１は、ステップＳ０６の走行リンクのリンクＩＤが、１つ前のサンプリング周期の経過時点において特定した走行リンクのリンクＩＤと異なるか否かを判定する。
新規のリンクＩＤでなければ、すでにプローブデータに追加登録されているため、さらに重複して追加登録する必要がないからである。
制御部１０１は、新規のリンクＩＤであると判定した場合（すなわち、前周期の走行リンクのリンクＩＤと異なると判定した場合）には（ステップＳ０７においてＹＥＳ）、ステップＳ０８以降の処理を実行し、それ以外の場合には（ステップＳ０７においてＮＯ）、ステップＳ１１以降の処理を実行する。
【００５１】
ステップＳ０８では、制御部１０１は、ステップＳ０５で特定した走行リンクが生活道路に係るリンクである生活道路リンクであるか否かを判定する。具体的には、道路地図データを参照して、走行リンクの道路種別が生活道路であるか否かを判定する。
制御部１０１は、生活道路リンクであると判定した場合（すなわち、走行リンクの道路種別が生活道路であると判定した場合）には（ステップＳ０８においてＹＥＳ）、ステップＳ０９以降の処理を実行し、それ以外の場合には（ステップＳ０８においてＮＯ）、ステップＳ１０以降の処理を実行する。
【００５２】
ステップＳ０９では、制御部１０１は、ステップＳ０５で特定した走行リンクが、車両（移動体）の出発地点から最初に非生活道路に係るリンクである非生活道路リンクに至るまでに車両が走行する生活道路リンクに該当するか否かを判定する。
具体的には、制御部１０１は、ステップＳ０５で特定した走行リンクから車両の出発地点まで道路地図データを用いて経路探索を行い、探索した経路を構成するリンクの道路種別が全て生活道路であるか否かを判定する。
あるいは、車両の出発地点からステップＳ０５で特定した走行リンクを全て記憶部１０３に記録しておき、それらの走行リンクの道路種別が全て生活道路であるか否かを判定しても良い。
制御部１０１は、該当すると判定した場合（すなわち、経路を構成するリンクの道路種別が全て生活道路であると判定した場合）には（ステップＳ０９においてＹＥＳ）、ステップＳ１１以降の処理を実行し、それ以外の場合には（ステップＳ０９においてＮＯ）、ステップＳ１０以降の処理を実行する。
【００５３】
ステップＳ１０では、制御部１０１は、ステップＳ０５で特定した走行リンクのリンクＩＤを、ステップＳ０１で取得した位置情報の検出時刻とともにプローブデータに追加登録する。
ステップＳ１１では、制御部１０１は、路上通信装置２へのアップリンクが可能であるか否か、すなわち、記憶部１０３に記録しているプローブデータを路上通信装置２に送信することが可能であるか否かを判定する。
制御部１０１は、可能であると判定した場合には（ステップＳ１１においてＹＥＳ）、ステップＳ１２の処理を実行し、それ以外の場合には（ステップＳ１１においてＮＯ）、ステップＳ０１以降の処理を実行する。
【００５４】
ステップＳ１２では、制御部１０１は、記憶部１０３に記録していたプローブデータを路上通信装置２に送信し、当該プローブデータを記憶部１０３から消去する。
【００５５】
以下、具体例を用いて、車載装置１の制御部１０１が生成するプローブデータについて説明する。
図４は、車載装置が生成するプローブデータの具体例を説明するための図である。
ここでは、車載装置１を搭載した車両５が、出発地点Ｏから生活道路リンクＬ１０１、生活道路リンクＬ１０２、非生活道路リンクＬ１１、非生活道路リンクＬ１、非生活道路リンクＬ７を走行し、車載装置１がリンクＬ７に設置されている路上通信装置２にプローブデータを送信する場合を想定する。
【００５６】
車載装置１は、車両５が出発地点から最初に非生活道路リンクに至るまでに走行する生活道路リンクについては、プローブデータに含めない。
従って、車両５が出発地点Ｏから最初に非生活道路リンクＬ１１に至るまでに生活道路リンクＬ１０１、Ｌ１０２を走行している間、車載装置１は取得した位置情報に対してリンクマッチング処理を実行して特定した走行リンクＬ１０１、Ｌ１０２については、プローブデータに含めない。
【００５７】
また、車載装置１は、プローブ制御交差点ＩＳＸからの距離が所定の距離閾値以上となっている位置情報についてはプローブデータに含めず、これらの位置情報に対してリンクマッチング処理を実行して特定した走行リンク（ただし、車両５が出発地点から最初に非生活道路リンクに至るまでに走行する生活道路リンクを除く）をプローブデータに含める。
従って、車両５が非生活道路リンクＬ１１を走行している間、車載装置１は取得した位置情報についてはプローブデータに含めず、これらの位置情報に対してリンクマッチング処理を実行して特定した走行リンクＬ１１をプローブデータに含める。また、車両５が非生活道路リンクＬ１を走行している間、車載装置１はプローブ制御交差点ＩＳＸからの距離が所定の距離閾値（５００ｍ）以上となっている位置情報についてはプローブデータに含めず、これらの位置情報に対してリンクマッチング処理を実行して特定した走行リンクＬ１をプローブデータに含める。
【００５８】
また、車載装置１は、プローブ制御交差点ＩＳＸからの距離が所定の距離閾値未満となっている位置情報についてはプローブデータに含める。
従って、車両５が非生活道路リンクＬ１を走行している間、プローブ制御交差点ＩＳＸからの距離が所定の距離閾値（５００ｍ）未満となってからは、車載装置１は取得した位置情報をプローブデータに含める。また、車両５が非生活道路リンクＬ７を走行している間、プローブ制御交差点ＩＳＸからの距離が所定の距離閾値（５００ｍ）以上となるまでは、車載装置１は取得した位置情報をプローブデータに含める。
【００５９】
よって、図４の場合、車載装置１からリンクＬ７に設置されている路上通信装置２に送信されるプローブデータには、リンクＬ１１、リンクＬ１、プローブ制御交差点ＩＳＸからの距離が５００ｍ未満となっている位置情報が含まれることになる。
【００６０】
以上のように、実施形態１に係る車載装置（情報生成装置）１は、位置情報がプローブ制御交差点ＩＳＸの近傍に含まれる場合にはこれを含むプローブデータ（走行軌跡情報）を生成するとともに、位置情報が上記近傍に含まれない場合にはこれを含まないプローブデータを生成する。これにより、車載装置１は、データ容量を抑えつつ、交通信号制御に必要な情報を含めたプローブデータを生成することができる。
【００６１】
また、車載装置（情報生成装置）１は、位置情報がプローブ制御交差点ＩＳＸの近傍に含まれない場合には、その位置情報に対応する走行リンクを特定して、その走行リンクを含めてプローブデータを生成する。これにより、車載装置１は、中央装置４が車両（移動体）５の走行経路を特定するために必要となる情報を、データ容量を抑えつつ、プローブデータに含めることができる。
【００６２】
また、車載装置（情報生成装置）１は、位置情報に基づいて特定した走行リンクが、車両（移動体）５の出発地点から最初に非生活道路リンクに至るまでに当該車両５が走行する生活道路リンクに該当する場合には、走行リンクを含めずに走行軌跡情報を生成する。これにより、車両５の搭乗者のプライバシーを保護することができる。
【００６３】
＜変形例１−１＞
上述の実施形態１においては、ステップＳ０３では、ステップＳ０１で取得した位置座標と、ステップＳ０２で抽出したプローブ制御交差点の位置座標との距離が所定の距離情報未満であるか否かを判定する構成であったが、これに限定されず、さらに次のような処理を追加で行う構成であっても良い。
【００６４】
まず、車載装置１の制御部１０１は、ステップＳ０１で取得した位置情報に対して、道路地図データを用いたいわゆるリンクマッチング処理を実行し、走行リンクを特定する。
次に、制御部１０１は、ステップＳ０２で抽出したプローブ制御交差点に流入するリンクのリンクＩＤをプローブ制御交差点テーブルから参照し、特定した走行リンクのリンクＩＤが含まれているか否かを判定する。
そして、制御部１０１は、ステップＳ０１で取得した位置情報とステップＳ０２で抽出したプローブ制御交差点の位置座標との距離が所定の距離閾値未満であると判定し、かつ、ステップＳ０２で抽出したプローブ制御交差点に流入するリンクのリンクＩＤに特定した走行リンクのリンクＩＤが含まれていると判定した場合には、ステップＳ０４以降の処理を実行し、それ以外の場合には、ステップＳ０５以降の処理を実行する。
【００６５】
これを、図４の例を用いて説明する。プローブ制御交差点テーブルでは、プローブ制御交差点ＩＳＸに流入するリンクのリンクＩＤとして、Ｌ１、Ｌ２、Ｌ３、Ｌ４が登録されているものとする。
車両５が非生活道路リンクＬ１を走行している間、プローブ制御交差点ＩＳＸからの距離が所定の距離閾値（５００ｍ）未満となってからは、リンクＬ１はプローブ制御交差点ＩＳＸの流入リンクであるため、車載装置１は取得した位置情報をプローブデータに含める。
一方、車両５が非生活道路リンクＬ７を走行している間、プローブ制御交差点ＩＳＸからの距離が所定の距離閾値（５００ｍ）以上となるまでであっても、リンクＬ７はプローブ制御交差点ＩＳＸの流入リンクではないため、車載装置１は取得した位置情報をプローブデータに含めず、これらの位置情報に基づいて特定した走行リンクＬ７をプローブデータに含める。
よって、車載装置１からリンクＬ７に設置されている路上通信装置２に送信されるプローブデータには、リンクＬ１１、リンクＬ１、プローブ制御交差点ＩＳＸからの距離が５００ｍ未満となっており、かつ、車両５がリンクＬ１上を走行している間の位置情報、リンクＬ７が含まれることになる。
【００６６】
このような構成とすることにより、車載装置１は、位置情報がプローブ制御交差点の下流近傍に含まれる場合には当該位置情報を含めずにプローブデータを生成するので、さらにプローブデータのデータ容量を抑制することができる。
【００６７】
＜変形例１−２＞
上述の実施形態１においては、ステップＳ０９では、ステップＳ０５で特定した走行リンクが、車両（移動体）の出発地点から最初に非生活道路リンクに至るまでに車両が走行する生活道路リンクに該当するか否かを判定する構成であったが、これに限定されず、さらに次のような処理を追加で行う構成であっても良い。
【００６８】
すなわち、車載装置１の制御部１０１は、ステップＳ０５で特定した走行リンクが、車両の出発地点から最初に非生活道路リンクに至るまでに車両が走行する生活道路リンクのうち、当該非生活道路リンクに至る所定の本数手前まで（例えば、１本手前まで）の生活道路リンクに該当するか否かを判定する。
そして、制御部１０１は、ステップＳ０５で特定した走行リンクが、車両（移動体）の出発地点から最初に非生活道路リンクに至るまでに車両が走行する生活道路リンクに該当すると判定し、かつ、ステップＳ０５で特定した走行リンクが、車両の出発地点から最初に非生活道路リンクに至るまでに車両が走行する生活道路リンクのうち、当該非生活道路リンクに至る所定の本数手前まで（例えば、１本手前まで）の生活道路リンクに該当しないと判定した場合には、ステップＳ１１以降の処理を実行し、それ以外の場合には、ステップＳ１０以降の処理を実行する。
【００６９】
これを、図４の例を用いて説明する。
車両５が生活道路リンクＬ１０１を走行している間、車載装置１が取得した位置情報に基づいて特定した走行リンクＬ１０１は、最初に非生活道路リンクＬ１１に至るまでに車両５が走行する生活道路リンクＬ１０１、Ｌ１０２のうち、当該非生活道路リンクＬ１１に至る１本手前までの生活道路リンクＬ１０２には該当しないため、車載装置１はＬ１０１についてはプローブデータに含めない。
一方、車両５が生活道路リンクＬ１０２を走行している間、車載装置１が取得した位置情報に基づいて特定した走行リンクＬ１０２は、最初に非生活道路リンクＬ１１に至るまでに車両５が走行する生活道路リンクＬ１０１、Ｌ１０２のうち、当該非生活道路リンクＬ１１に至る１本手前までの生活道路リンクＬ１０２に該当するため、車載装置１はＬ１０２についてはプローブデータに含める。
よって、車載装置１からリンクＬ７に設置されている路上通信装置２に送信されるプローブデータには、リンクＬ１０２、リンクＬ１１、リンクＬ１、プローブ制御交差点ＩＳＸからの距離が５００ｍ未満となっている位置情報が含まれることになる。
【００７０】
このような構成とすることにより、車載装置１は、位置情報から特定した走行リンクが、車両（移動体）の出発地点から最初に非生活道路リンクに至るまでに当該車両が走行する生活道路リンクに該当する場合であっても、当該非生活道路リンクに至る所定の本数手前までの生活道路リンクに該当する場合には、当該生活道路リンクを含めてプローブデータ（走行軌跡情報）を生成するので、これを路上通信装置２経由で取得した中央装置４は生活道路から非生活道路に流入する交通を把握することができる。
【００７１】
＜その他の変形例＞
上述の車載装置１は、位置情報がプローブ制御交差点ＩＳＸの近傍に含まれる場合にはこれを含むプローブデータを生成するとともに、位置情報が上記近傍に含まれない場合にはこの位置情報に基づいて特定した走行リンクを含むプローブデータを生成する構成であったが、これに限られない。
位置情報が交差点の近傍に含まれる場合（交差点からの距離が所定の距離閾値未満となっている場合）にはこれを含むプローブデータを生成するとともに、位置情報が上記近傍に含まれない場合にはこの位置情報に基づいて特定した走行リンクを含むプローブデータを生成する構成であっても良い。
あるいは、位置情報が、交通信号機３（３Ｘ、３Ｙ）が設置された交差点である信号交差点の近傍に含まれる場合（信号交差点からの距離が所定の距離閾値未満となっている場合）にはこれを含むプローブデータを生成するとともに、位置情報が上記近傍に含まれない場合にはこの位置情報に基づいて特定した走行リンクを含むプローブデータを生成する構成であっても良い。
あるいは、位置情報が重要交差点の近傍に含まれる場合（重要交差点からの距離が所定の距離閾値未満となっている場合）にはこれを含むプローブデータを生成するとともに、位置情報が上記近傍に含まれない場合にはこの位置情報に基づいて特定した走行リンクを含むプローブデータを生成する構成であっても良い。なお、重要交差点と一般交差点の定義は以下の通りである。
・  重要交差点：普段から負荷率が大きくボトルネックになることが多い交差点のことを重要交差点といい、一般に、幹線・準幹線道路相互の交差点がこれに該当する。
・  一般交差点：重要交差点に比べて従道路の交通需要が少なく、例えば単に横断歩行者の青信号の時間を確保すればよいような交差点のことを一般交差点という。
【００７２】
また、上述の実施形態１では、車載装置１は、位置情報がプローブ制御交差点ＩＳＸの近傍に含まれる場合にはこれを含むプローブデータを生成するとともに、位置情報が上記近傍に含まれない場合にはこの位置情報に基づいて特定した走行リンクを含むプローブデータを生成する構成であったが、これに限られない。
車載装置１は、位置情報が交差点の近傍に含まれる場合にはこれをそのまま含むプローブデータを生成するとともに、位置情報が上記近傍に含まれない場合にはこの位置情報を間引いて含めたプローブデータを生成する構成であっても良い。
【００７３】
実施形態２：
以下、本実施形態について、上述の実施形態１との相違点である車載装置１のプローブデータ生成処理を中心に説明する。
図５、図６は、実施形態２に係るプローブデータ生成処理の手順を示すフローチャートである。
まず、ステップＳ２１において、車載装置１の制御部１０１は、所定のサンプリング周期（例えば、１秒）が経過すると、ＧＰＳ処理部１０２によって検出された車載装置１の位置情報を取得する。
【００７４】
ステップＳ２２では、制御部１０１は、路上通信装置２へのアップリンクが可能であるか否か、すなわち、記憶部１０３に記録しているプローブデータを路上通信装置２に送信することが可能であるか否かを判定する。
制御部１０１は、可能であると判定した場合には（ステップＳ２２においてＹＥＳ）、ステップＳ２４以降の処理を実行し、それ以外の場合には（ステップＳ２２においてＮＯ）、ステップＳ２３の処理を実行する。
【００７５】
ステップＳ２３では、制御部１０１は、取得した位置情報を、この位置情報を検出した時刻とともに記憶部１０３に記録する。
ステップＳ２４では、制御部１０１は、記憶部１０３に記録されている全ての位置情報について、ステップＳ２５以降の処理が完了しているか否かを判定し、完了していると判定した場合には（ステップＳ２４においてＹＥＳ）、ステップＳ３０の処理を実行し、それ以外の場合には（ステップＳ２４においてＮＯ）、記憶部に記録されている位置情報のうち、ステップＳ２５以降の処理が完了していない、最も検出時刻の古いものを１つ抽出して、ステップＳ２５の処理を実行する。
【００７６】
ステップＳ２５では、制御部１０１は、ステップＳ２４で抽出した位置情報に対して、道路地図データを用いたいわゆるリンクマッチング処理を実行し、走行リンクを特定する。
ステップＳ２６では、制御部１０１は、リンクマッチング処理により走行リンクが特定できた場合、すなわち、走行リンクのリンクＩＤがある場合には（ステップＳ２６においてＹＥＳ）、ステップＳ２７以降の処理を実行し、それ以外の場合には（ステップＳ２６においてＮＯ）、ステップＳ２９以降の処理を実行する。
【００７７】
ステップＳ２７では、制御部１０１は、ステップＳ２５で特定した走行リンクが生活道路リンクであるか否かを判定し、生活道路リンクであると判定した場合には（ステップＳ２７においてＹＥＳ）、ステップＳ２８以降の処理を実行し、それ以外の場合には（ステップＳ２７においてＮＯ）、ステップＳ３１以降の処理を実行する。
【００７８】
ステップＳ２８では、制御部１０１は、ステップＳ２５で特定した走行リンクが、車両（移動体）の出発地点から非生活道路リンクに至るまでに車両が走行する生活道路リンクに該当するか否かを判定する。
制御部１０１は、該当すると判定した場合には（ステップＳ２８においてＹＥＳ）、ステップＳ２９以降の処理を実行し、それ以外の場合には（ステップＳ２８においてＮＯ）、ステップＳ３１以降の処理を実行する。
【００７９】
ステップＳ２９では、制御部１０１は、ステップＳ２４で抽出した位置情報を破棄する。
ステップＳ３０では、制御部１０１は、記憶部１０３に記録していたプローブデータを路上通信装置２に送信し、当該プローブデータを記憶部１０３から消去する。
【００８０】
ステップＳ３１では、制御部１０１は、ステップＳ２４で抽出した位置情報と、道路地図データに登録されている各交差点の位置座標とを比較し、最も距離が近い交差点を抽出する。
ステップＳ３２では、制御部１０１は、ステップＳ２４で抽出した位置情報とステップＳ３１で抽出した交差点の位置座標との距離が所定の距離閾値（例えば、５００ｍ）未満であるか否かを判定する。
制御部１０１は、所定の距離閾値未満であると判定した場合には（ステップＳ３２においてＹＥＳ）、ステップＳ３４以降の処理を実行し、それ以外の場合には（ステップＳ３２においてＮＯ）、ステップＳ３３以降の処理を実行する。
【００８１】
ステップＳ３３では、制御部１０１は、ステップＳ２４で抽出した位置情報と直前にプローブデータに追加登録した位置情報との距離が、一定走行距離（例えば、２００ｍ）以上であるか否かを判定する。
制御部１０１は、一定走行距離以上であると判定した場合には（ステップＳ３３においてＹＥＳ）、ステップＳ３４以降の処理を実行し、それ以外の場合には（ステップＳ３３においてＮＯ）、ステップＳ３５以降の処理を実行する。
【００８２】
ステップＳ３４では、制御部１０１は、ステップＳ２４で抽出した位置情報を検出時刻とともにプローブデータに追加登録する。
ステップＳ３５では、制御部１０１は、ステップＳ２４で抽出した位置情報を破棄する。
【００８３】
以下、具体例を用いて、実施形態２に係る車載装置１の制御部１０１が生成するプローブデータについて説明する。
図７は、実施形態２に係る車載装置が生成するプローブデータの具体例を説明するための図である。
ここでは、車載装置１を搭載した車両５が、出発地点Ｏから生活道路リンクＬ１０１、生活道路リンクＬ１０２、非生活道路リンクＬ１１、非生活道路リンクＬ１、非生活道路リンクＬ７を走行し、車載装置１がリンクＬ７に設置されている路上通信装置２にプローブデータを送信する場合を想定する。
【００８４】
車載装置１は、出発地点から最初に非生活道路リンクに至るまでの間の位置情報については、プローブデータに含めない。
従って、車両５が出発地点Ｏから最初に非生活道路リンクＬ１１に至るまでに生活道路リンクＬ１０１、Ｌ１０２を走行している間、車載装置１は取得した位置情報をプローブデータに含めない。
【００８５】
また、車載装置１は、交差点ＩＳからの距離が所定の距離閾値以上となっている位置情報については、前回にプローブデータに含めた位置情報から車両５が一定走行距離（２００ｍ）走行するまでの間の位置情報を間引いてプローブデータに含める。
従って、車両５が非生活道路リンクＬ１１、Ｌ１を走行している間、車載装置１は交差点ＩＳからの距離が所定の距離閾値（５００ｍ）以上となっている位置情報については、間引いてプローブデータに含める。
【００８６】
また、車載装置１は、交差点ＩＳからの距離が所定の距離閾値未満となっている位置情報については、そのままプローブデータに含める。
従って、車両５が非生活道路リンクＬ１１、Ｌ１、Ｌ７を走行している間、車載装置１は交差点ＩＳからの距離が所定の距離閾値（５００ｍ）未満となっている位置情報については、そのままプローブデータに含める。
【００８７】
以上のように、実施形態２に係る車載装置（情報生成装置）１は、交差点ＩＳの近傍に含まれる位置情報については、これらをそのまま含むプローブデータ（走行軌跡情報）を生成するとともに、上記近傍に含まれない位置情報については、これらを間引いて含めるプローブデータを生成する。これにより、車載装置１は、データ容量を抑えつつ、交通信号制御に必要な情報を含めたプローブデータを生成することができる。
【００８８】
また、実施形態２に係る車載装置（情報生成装置）１は、位置情報から走行リンクを特定できない場合には、この位置情報を含めずにプローブデータを生成する。位置情報をもとに走行リンクを特定できない場合には、車両（移動体）５は道路地図データに登録されていないような生活道路を走行していると推定することができるので、このような位置情報をプローブデータに含めないことにより、車両５の搭乗者のプライバシーを保護することができる。
【００８９】
また、実施形態２に係る車載装置（情報生成装置）１は、位置情報から走行リンクを特定できる場合であっても、その走行リンクが、車両（移動体）５の出発地点から最初に非生活道路リンクに至るまでに当該車両５が走行する生活道路リンクに該当する場合には、この位置情報を含めずにプローブデータを生成する。これにより、車両５の搭乗者のプライバシーを保護することができる。
【００９０】
＜変形例２−１＞
上述の実施形態２においては、ステップＳ２８では、制御部１０１は、ステップＳ２５で特定した走行リンクが、車両（移動体）の出発地点から最初に非生活道路リンクに至るまでに車両が走行する生活道路リンクに該当するか否かを判定する構成であったが、これに限定されず、さらに次のような処理を追加で行う構成であっても良い。
【００９１】
すなわち、制御部１０１は、ステップＳ２５で特定した走行リンクが、車両の出発地点から最初に非生活道路リンクに至るまでに車両が走行する生活道路リンクのうち、当該非生活道路リンクに至る所定の本数手前まで（例えば、１本手前まで）の生活道路リンクに該当するか否かを判定する。
そして、制御部１０１は、ステップＳ２５で特定した走行リンクが、車両（移動体）の出発地点から最初に非生活道路リンクに至るまでに車両が走行する生活道路リンクに該当すると判定し、かつ、ステップＳ２５で特定した走行リンクが、車両の出発地点から最初に非生活道路リンクに至るまでに車両が走行する生活道路リンクのうち、当該非生活道路リンクに至る所定の本数手前まで（例えば、１本手前まで）の生活道路リンクに該当しないと判定した場合には、ステップＳ２９以降の処理を実行し、それ以外の場合には、ステップＳ３１以降の処理を実行する。
【００９２】
これを、図７の例を用いて説明する。
車両５が生活道路リンクＬ１０１を走行している間、車載装置１が取得した位置情報に基づいて特定した走行リンクＬ１０１は、最初に非生活道路リンクＬ１１に至るまでに車両５が走行する生活道路リンクＬ１０１、Ｌ１０２のうち、当該非生活道路リンクＬ１１に至る１本手前までの生活道路リンクＬ１０２には該当しない。従って、車載装置１は、車両５がＬ１０１を走行している間の位置情報についてはプローブデータに含めない。
一方、車両５が生活道路リンクＬ１０２を走行している間、車載装置１は取得した位置情報に基づいて特定した走行リンクＬ１０２は、最初に非生活道路リンクＬ１１に至るまでに車両５が走行する生活道路リンクＬ１０１、Ｌ１０２のうち、当該非生活道路リンクＬ１１に至る１本手前までの生活道路リンクＬ１０２に該当する。従って、車載装置１は、車両５がＬ１０２を走行している間の位置情報についてはプローブデータに含める。
【００９３】
このような構成とすることにより、車載装置（情報生成装置）１は、位置情報から特定した走行リンクが、車両（移動体）の出発地点から非生活道路リンクに至るまでに当該車両が走行する生活道路リンクに該当する場合であっても、当該非生活道路リンクに至る所定の本数手前までの生活道路リンクに該当する場合には、上記位置情報又は当該生活道路リンクを含めてプローブデータ（走行軌跡情報）を生成するので、これを路上通信装置２経由で取得した中央装置は生活道路から非生活道路に流入する交通を把握することができる。
【００９４】
＜その他の変形例＞
また、上述の実施形態２では、交差点ＩＳからの距離が所定の距離閾値未満となっている位置情報についてはそのままプローブデータに含め、交差点ＩＳからの距離が所定の距離閾値以上となっている位置情報については間引いてプローブデータに含める構成であったが、これに限られない。
上述の実施形態１と同様に、プローブ制御交差点ＩＳＸからの距離が所定の距離閾値未満となっている位置情報についてはそのままプローブデータに含め、プローブ制御交差点ＩＳＸからの距離が所定の距離閾値以上となっている位置情報については間引いてプローブデータに含める構成であっても良い。
あるいは、交通信号機３（３Ｘ、３Ｙ）が設置された交差点である信号交差点からの距離が所定の距離閾値未満となっている位置情報についてはそのままプローブデータに含め、信号交差点からの距離が所定の距離閾値以上となっている位置情報については間引いてプローブデータに含める構成であっても良い。
あるいは、重要交差点からの距離が所定の距離閾値未満となっている位置情報についてはそのままプローブデータに含め、重要交差点からの距離が所定の距離閾値以上となっている位置情報については間引いてプローブデータに含める構成であっても良い。
【００９５】
今回開示した実施形態（上述の実施形態１、２を含む。）はすべての点で例示であって制限的なものではない。本発明の権利範囲は、上記実施形態ではなく、特許請求の範囲と均等の範囲内でのすべての変更が含まれる。
【００９６】
例えば、上述の実施形態では、車両に搭載された車載装置が情報生成装置を構成する態様を説明したが、これに限られず、スマートフォンやタブレットなどの携帯端末が情報生成装置を構成する態様であっても良い。
【００９７】
また、上述の実施形態では、車載装置（情報生成装置）は位置情報をプローブデータに登録する際、この位置情報の検出時刻も併せて登録する構成であったが、これに限られない。車載装置が速度センサ等から車両（移動体）の速度を取得できる場合には、位置情報をプローブデータに登録する際、この位置情報の検出時刻だけでなく、その時刻における車両の速度も併せてプローブデータに登録する構成であっても良い。さらに、その時刻における車両のワイパーの動作状態（動作中又は停止）やウィンカーの点灯状況（右ウィンカー点灯中、左ウィンカー点灯中又は消灯）その他の情報を取得できる場合には、これらの情報も併せてプローブデータに登録する構成であっても良い。
【符号の説明】
【００９８】
１  車載装置（情報生成装置）、  １０１  制御部、  １０２  ＧＰＳ処理部、  １０３  記憶部、  １０４  通信部、  １０５  表示部、  １０６  音声出力部
２  路上通信装置、  ２ａ  通信制御部、  ２ｂ  通信部
３  交通信号機、  ３Ｘ  プローブ制御交通信号機、  ３Ｙ  非プローブ制御交通信号機、  ３ａ，３ａｘ，３ａｙ  交通信号制御機、  ３ｂ  信号灯器
４  中央装置、  ５  車両
ＩＳ  交差点、  ＩＳＸ  プローブ制御交差点、  ＩＳＹ  非プローブ制御交差点
Ｌ１，Ｌ２，Ｌ３，Ｌ４，Ｌ５，Ｌ６，Ｌ７，Ｌ８，Ｌ９，Ｌ１０，Ｌ１１，Ｌ１２，Ｌ１０１，Ｌ１０２  リンク
【図１】
2013206098.tif 000003
【図２】
2013206098.tif 000004
【図３】
2013206098.tif 000005
【図４】
2013206098.tif 000006
【図５】
2013206098.tif 000007
【図６】
2013206098.tif 000008
【図７】
2013206098.tif 000009